(57)【要約】【課題】複数乃至は広い周波数の振動に対して、有効な防振効果を得ることができる、新規な構造の流体封入式防振装置を提供すること。【解決手段】第２のオリフィス通路８２とそれよりも低周波数にチューニングされた第３のオリフィス通路８４とを形成すると共に、アクチュエータ１４の出力部８８を可撓性膜６４を介して第２，第３のオリフィス通路８２，８４の平衡室７６側の開口部と対向させる。出力部８８の仕切部材３６への接近によって第２，第３のオリフィス通路８２，８４の開口部を可撓性膜６４で閉塞して、第３のオリフィス通路８４を遮断すると共に、可撓性膜６４の変形を出力部８８の中央凹所１００で許容して、第２のオリフィス通路８２を実質的に連通させる一方、出力部８８の仕切部材３６からの離隔時に、可撓性膜６４を第２，第３のオリフィス通路８２，８４の開口部から離隔させて、それら第２，第３のオリフィス通路８２，８４を連通させる。【選択図】図１
2014085004.tif 000002
【特許請求の範囲】
【請求項１】
第１の取付部材と第２の取付部材を本体ゴム弾性体で弾性連結して、該第２の取付部材によって支持される仕切部材を挟んだ一方の側に壁部の一部が該本体ゴム弾性体で構成された受圧室を形成すると共に、該仕切部材を挟んだ他方の側に壁部の一部が可撓性膜で構成された平衡室を形成して、それら受圧室と平衡室に非圧縮性流体を封入すると共に、それら受圧室と平衡室を相互に連通する第１のオリフィス通路を該仕切部材の外周部分に設けた流体封入式防振装置において、
前記仕切部材の中央部分には、前記第１のオリフィス通路よりも高周波数にチューニングされて前記受圧室と前記平衡室を連通する第２のオリフィス通路と、該第２のオリフィス通路よりも低周波数にチューニングされて該受圧室と該平衡室を連通する第３のオリフィス通路とが形成されている一方、
前記可撓性膜を挟んで該平衡室と反対側にはアクチュエータが配設されて、該アクチュエータの出力部が該可撓性膜を介して該第２のオリフィス通路および該第３のオリフィス通路の該平衡室側の開口部と対向していると共に、該アクチュエータの該出力部には該第２のオリフィス通路の該平衡室側の開口部と対向する部分に中央凹所が開口形成されており、
該アクチュエータの該出力部が該可撓性膜を介して該仕切部材に当接されることで該第２のオリフィス通路および該第３のオリフィス通路の該平衡室側の開口部が該可撓性膜によって閉塞されて、該第３のオリフィス通路が遮断されると共に、該可撓性膜における該第２のオリフィス通路の該平衡室側の開口部を閉塞する部分が該中央凹所によって変形を許容されて該第２のオリフィス通路が実質的な連通状態に保持される一方、
該アクチュエータの該出力部が該仕切部材から離隔されることで該可撓性膜が該第２のオリフィス通路および該第３のオリフィス通路の該平衡室側の開口部から離隔して、それら第２のオリフィス通路および第３のオリフィス通路が何れも連通状態とされるようにしたことを特徴とする流体封入式防振装置。
【請求項２】
前記第３のオリフィス通路を通じて流動する流体の共振周波数が、前記第１のオリフィス通路を通じて流動する流体の共振周波数よりも高周波数に設定されている請求項１に記載の流体封入式防振装置。
【請求項３】
前記アクチュエータの前記出力部が前記可撓性膜を介して前記仕切部材に当接された状態において、前記第１のオリフィス通路を通じて流動する流体の共振周波数が自動車のエンジンシェイクに相当する低周波数とされると共に、前記第２のオリフィス通路を通じて流動する流体の共振周波数が自動車の走行こもり音に相当する高周波数とされる一方、
該アクチュエータの該出力部が該仕切部材から離隔した状態において、前記受圧室と前記平衡室の間で流動する流体の共振周波数が自動車のアイドリング振動に相当する中周波数とされる請求項１又は２に記載の流体封入式防振装置。
【請求項４】
前記可撓性膜における前記第２のオリフィス通路の前記平衡室側の開口部と対向する部分が薄肉の変形許容部とされていると共に、該可撓性膜における前記第３のオリフィス通路の該平衡室側の開口部と対向する部分が該変形許容部よりも厚肉の閉塞保持部とされている請求項１〜３の何れか１項に記載の流体封入式防振装置。
【請求項５】
前記アクチュエータの前記出力部には前記中央凹所の周壁部を貫通する空気流路が設けられており、該出力部における該空気流路の形成部分が前記第３のオリフィス通路の前記平衡室側の開口部との対向部分よりも小径とされている請求項１〜４の何れか１項に記載の流体封入式防振装置。
【請求項６】
前記アクチュエータが、空気圧の変更設定を可能とされた作用空気室を備えていると共に、該作用空気室内の空気圧の変化に応じて前記出力部が変位せしめられる空気圧式アクチュエータとされている請求項１〜５の何れか１項に記載の流体封入式防振装置。
【発明の詳細な説明】
【技術分野】
【０００１】
本発明は、例えば、自動車のエンジンマウント等に用いられる防振装置に係り、特に、内部に封入された非圧縮性流体の流動作用に基づいた防振効果を利用する流体封入式防振装置に関するものである。
【背景技術】
【０００２】
従来から、振動伝達系を構成する部材間に介装されて、それら部材を相互に防振連結する防振連結体乃至は防振支持体の一種として、第１の取付部材と第２の取付部材を本体ゴム弾性体で弾性連結した構造を有する防振装置が知られている。更に、より高度な防振効果を得るために、流体の流動作用に基づいた防振効果を利用する流体封入式防振装置も提案されており、自動車のエンジンマウント等に適用されている。この流体封入式防振装置は、壁部の一部が本体ゴム弾性体で構成された受圧室と、壁部の一部が可撓性膜で構成された平衡室とを設けて、それら受圧室と平衡室に非圧縮性流体を封入すると共に、それら受圧室と平衡室とを相互に連通するオリフィス通路を形成した構造を有している。
【０００３】
ところで、流体封入式防振装置では、オリフィス通路がチューニングされた特定周波数の振動に対して、流体の流動作用等に基づく優れた防振効果が発揮される一方で、オリフィス通路のチューニング周波数を外れた周波数域の振動に対しては、有効な防振効果が発揮され難いという問題がある。
【０００４】
そこで、本出願人は、先に出願した特開平１０−８９４０２号公報（特許文献１）において、空気圧式のアクチュエータによってオリフィス通路の連通状態を切り替えることで、１つのオリフィス通路が周波数の異なる複数種類の振動に対して有効な防振効果を発揮し得るようにした、空気圧切替型の流体封入式防振装置を提案している。即ち、特許文献１では、オリフィス通路の平衡室側の開口部に対して可撓性膜を挟んで対向するように空気圧式アクチュエータを配置すると共に、空気圧式アクチュエータのオリフィス通路開口部への対向部分に中央凹所を形成した構造が採用されている。これにより、空気圧式アクチュエータに大気圧が及ぼされると、オリフィス通路の平衡室側の開口部が可撓性膜で構成された可動膜によって覆蓋されて、可動膜のばね剛性によってオリフィス通路のチューニング周波数が高周波数に設定される。一方、空気圧式アクチュエータに負圧が及ぼされると、オリフィス通路の平衡室側の開口部が開放されて、オリフィス通路のチューニング周波数が大気圧の作用時に比して低周波数に設定されるようになっている。
【０００５】
しかしながら、本発明者が更なる検討を加えた結果、特許文献１の流体封入式防振装置にも、未だ改良の余地があることが明らかとなった。即ち、特許文献１の構造では、可動膜の弾性による壁ばね剛性の変化によってオリフィス通路の共振周波数を変化させることから、オリフィス通路の共振周波数を充分に変化させるためには可動膜のばね剛性を大きくする必要がある。しかし、可動膜のばね剛性を大きく設定すると、空気圧式アクチュエータに大気圧が及ぼされた状態において、オリフィス通路を通じての流体流動が可動膜によって妨げられることから、流体の流動作用に基づく防振効果を効率的に発揮させることが難しい場合もあった。
【先行技術文献】
【特許文献】
【０００６】
【特許文献１】特開平１０−８９４０２号公報
【発明の概要】
【発明が解決しようとする課題】
【０００７】
本発明は、上述の事情を背景に為されたものであって、その解決課題は、複数乃至は広い周波数の振動に対して、有効な防振効果を効率的に得ることができる、新規な構造の流体封入式防振装置を提供することにある。
【課題を解決するための手段】
【０００８】
すなわち、本発明の第１の態様は、第１の取付部材と第２の取付部材を本体ゴム弾性体で弾性連結して、該第２の取付部材によって支持される仕切部材を挟んだ一方の側に壁部の一部が該本体ゴム弾性体で構成された受圧室を形成すると共に、該仕切部材を挟んだ他方の側に壁部の一部が可撓性膜で構成された平衡室を形成して、それら受圧室と平衡室に非圧縮性流体を封入すると共に、それら受圧室と平衡室を相互に連通する第１のオリフィス通路を該仕切部材の外周部分に設けた流体封入式防振装置において、前記仕切部材の中央部分には、前記第１のオリフィス通路よりも高周波数にチューニングされて前記受圧室と前記平衡室を連通する第２のオリフィス通路と、該第２のオリフィス通路よりも低周波数にチューニングされて該受圧室と該平衡室を連通する第３のオリフィス通路とが形成されている一方、前記可撓性膜を挟んで該平衡室と反対側にはアクチュエータが配設されて、該アクチュエータの出力部が該可撓性膜を介して該第２のオリフィス通路および該第３のオリフィス通路の該平衡室側の開口部と対向していると共に、該アクチュエータの該出力部には該第２のオリフィス通路の該平衡室側の開口部と対向する部分に中央凹所が開口形成されており、該アクチュエータの該出力部が該可撓性膜を介して該仕切部材に当接されることで該第２のオリフィス通路および該第３のオリフィス通路の該平衡室側の開口部が該可撓性膜によって閉塞されて、該第３のオリフィス通路が遮断されると共に、該可撓性膜における該第２のオリフィス通路の該平衡室側の開口部を閉塞する部分が該中央凹所によって変形を許容されて該第２のオリフィス通路が実質的な連通状態に保持される一方、該アクチュエータの該出力部が該仕切部材から離隔されることで該可撓性膜が該第２のオリフィス通路および該第３のオリフィス通路の該平衡室側の開口部から離隔して、それら第２のオリフィス通路および第３のオリフィス通路が何れも連通状態とされるようにしたことを、特徴とする。
【０００９】
このような第１の態様に従う構造とされた流体封入式防振装置によれば、アクチュエータの出力部が可撓性膜を介して仕切部材に当接された状態では、第２，第３のオリフィス通路の開口部が可撓性膜で閉塞されることから、第１のオリフィス通路を通じての流体流動が効率的に惹起されて、低周波数の振動に対して流体の流動作用に基づく防振効果が有効に発揮される。
【００１０】
さらに、第２のオリフィス通路は、中央凹所によって許容される可撓性膜の変形によって、開口部を可撓性膜で閉塞された状態でも流体の流動が生ぜしめられる実質的な連通状態に保持される。それ故、第１のオリフィス通路のチューニング周波数を外れた高周波小振幅の振動に対して、流体の流動作用に基づいた防振効果が有効に発揮される。なお、第２のオリフィス通路が開口部を可撓性膜で閉塞されながら実質的な連通状態に保持されるとは、可撓性膜の変形によって第２のオリフィス通路において流体の流動が生じ得る状態であることを言う。
【００１１】
かかる出力部が仕切部材に当接された状態では、第２のオリフィス通路の開口周縁部において可撓性膜が出力部で拘束されることにより、第１のオリフィス通路を通じた流体流動による防振効果と、第２のオリフィス通路を通じた流体流動による防振効果が、それぞれのチューニング周波数で各別に発揮される。それ故、低周波振動と高周波振動のそれぞれに対して、有効な防振効果を得ることができる。
【００１２】
一方、アクチュエータの出力部が仕切部材から離隔されて、第２，第３のオリフィス通路の平衡室側の開口部が開放されると、第１〜第３のオリフィス通路が全体として受圧室と平衡室を連通する１つの流体流路を構成する。そこにおいて、第２のオリフィス通路よりも低周波数にチューニングされた第３のオリフィス通路が形成されていることにより、それら第１〜第３のオリフィス通路で構成される流体流路のチューニング周波数が、第２のオリフィス通路のチューニング周波数に対して、充分に低い周波数に設定される。従って、アクチュエータの出力部が仕切部材に当接された状態とは異なる周波数域の振動、より具体的には、第１のオリフィス通路のチューニング周波数と第２のオリフィス通路のチューニング周波数の間の周波数域の振動に対して、流体の流動作用に基づく防振効果が有効に発揮される。
【００１３】
このように、アクチュエータの出力部が仕切部材から離隔された状態における防振特性が、第３のオリフィス通路によって調節されることから、可撓性膜における第２のオリフィス通路の開口部を覆う部分を特別に厚肉化する等の構造上の制約が回避されて、要求される耐久性や防振性能等に応じた設計がより高い自由度で可能となる。
【００１４】
本発明の第２の態様は、第１の態様に記載された流体封入式防振装置において、前記第３のオリフィス通路を通じて流動する流体の共振周波数が、前記第１のオリフィス通路を通じて流動する流体の共振周波数よりも高周波数に設定されているものである。
【００１５】
第２の態様によれば、アクチュエータの出力部が仕切部材から離隔した状態において、第３のオリフィス通路のチューニング周波数が、第１〜第３のオリフィス通路で構成される流体流路のチューニング周波数に対して充分な影響を及ぼして、流体流路のチューニング周波数を防振対象振動の周波数に調節することができる。
【００１６】
本発明の第３の態様は、第１又は第２の態様に記載された流体封入式防振装置において、前記アクチュエータの前記出力部が前記可撓性膜を介して前記仕切部材に当接された状態において、前記第１のオリフィス通路を通じて流動する流体の共振周波数が自動車のエンジンシェイクに相当する低周波数とされると共に、前記第２のオリフィス通路を通じて流動する流体の共振周波数が自動車の走行こもり音に相当する高周波数とされる一方、該アクチュエータの該出力部が該仕切部材から離隔した状態において、前記受圧室と前記平衡室の間で流動する流体の共振周波数が自動車のアイドリング振動に相当する中周波数とされるものである。
【００１７】
第３の態様によれば、特に自動車用の流体封入式防振装置として用いられる場合に、アクチュエータの出力部が仕切部材に当接されることで、自動車の走行時に問題となる振動に対して有効な防振効果が発揮されると共に、アクチュエータの出力部が仕切部材から離隔されることで、自動車の停車時に問題となる振動に対して有効な防振効果が発揮される。
【００１８】
本発明の第４の態様は、第１〜第３の何れか１つの態様に記載された流体封入式防振装置において、前記可撓性膜における前記第２のオリフィス通路の前記平衡室側の開口部と対向する部分が薄肉の変形許容部とされていると共に、該可撓性膜における前記第３のオリフィス通路の該平衡室側の開口部と対向する部分が該変形許容部よりも厚肉の閉塞保持部とされているものである。
【００１９】
第４の態様によれば、アクチュエータの出力部が仕切部材に当接された状態において、より容易に変形する変形許容部が第２のオリフィス通路の開口部を閉塞することから、第２のオリフィス通路を通じての流体流動が効率的に惹起されて、流体の流動作用に基づく防振効果が有利に発揮され得る。しかも、可撓性膜における第３のオリフィス通路の開口部を閉塞する部分が、厚肉で形状安定性に優れた閉塞保持部とされていることにより、第３のオリフィス通路の遮断が安定して実現されると共に、繰り返し仕切部材に押し当てられても充分な耐久性が確保される。
【００２０】
本発明の第５の態様は、第１〜第４の何れか１つの態様に記載された流体封入式防振装置において、前記アクチュエータの前記出力部には前記中央凹所の周壁部を貫通する空気流路が設けられており、該出力部における該空気流路の形成部分が前記第３のオリフィス通路の前記平衡室側の開口部との対向部分よりも小径とされているものである。
【００２１】
第５の態様によれば、空気流路が設けられることで、中央凹所の開口部が可撓性膜で覆われても、可撓性膜の変形が空気ばねの作用によって制限されることなく許容されて、第２のオリフィス通路を通じての流体流動が効率的に惹起される。しかも、中央凹所の周壁部を構成するアクチュエータの出力部において、空気流路の形成部分が小径とされていることで、空気流路の開口部が可撓性膜等で閉塞されることなく連通状態に保持されて、可撓性膜における中央凹所の開口部上に位置する部分の変形を安定して許容することができる。加えて、アクチュエータの出力部における第３のオリフィス通路の開口部と対向する部分は、空気流路の形成部分に比して大径とされており、第３のオリフィス通路の開口部が出力部で確実に閉塞されるようになっている。
【００２２】
なお、空気流路が複数設けられている場合には、それら空気流路の１つ乃至は幾つかが、アクチュエータの出力部における第３のオリフィス通路の開口部との対向部分に形成されていても良い。その場合には、複数の空気流路の少なくとも１つを、出力部における第３のオリフィス通路の開口部との対向部分から外れた位置に設けて、その空気流路の形成部分において出力部を小径にすることで、上記の如き本態様の作用効果を得ることができる。
【００２３】
本発明の第６の態様は、第１〜第５の何れか１つの態様に記載された流体封入式防振装置において、前記アクチュエータが、空気圧の変更設定を可能とされた作用空気室を備えていると共に、該作用空気室内の空気圧の変化に応じて前記出力部が変位せしめられる空気圧式アクチュエータとされているものである。
【００２４】
第６の態様によれば、簡単な構造によって出力部を変位させることができて、部品点数の削減や軽量化等が実現される。しかも、自動車用の流体封入式防振装置に適用すれば、自動車において停車時に発生する負圧を作用空気室に及ぼすことで、特別な動力源を設けることなく、アクチュエータを作動させることも可能となって、更なる構造の簡略化が図られ得る。
【発明の効果】
【００２５】
本発明によれば、アクチュエータの出力部が可撓性膜を介して仕切部材に当接された状態では、第１のオリフィス通路と第２のオリフィス通路において流体流動が生ぜしめられて、流体の流動作用に基づく防振効果が有効に発揮される。一方、アクチュエータの出力部が仕切部材から離隔された状態では、第１〜第３のオリフィス通路が１つの流体流路として機能する。そこにおいて、第２のオリフィス通路よりも低周波数にチューニングされた第３のオリフィス通路が連通状態で設けられていることにより、第２のオリフィス通路のチューニング周波数よりも低い周波数域で、流体の流動作用に基づく防振効果を得ることができる。
【図面の簡単な説明】
【００２６】
【図１】本発明の一実施形態としてのエンジンマウントを示す縦断面図であって、図２のＩ−Ｉ断面に相当する図。
【図２】図１に示されたエンジンマウントを構成する仕切部材の平面図。
【図３】図２に示された仕切部材の底面図。
【図４】図２に示された仕切部材を構成する仕切部材本体の横断面図であって、図５のＩＶ−ＩＶ断面に相当する図。
【図５】図４のＶ−Ｖ断面図。
【図６】図１に示されたエンジンマウントを構成する空気圧式アクチュエータの平面図。
【図７】図６のＶＩＩ−ＶＩＩ断面図。
【図８】図１に示されたエンジンマウントを示す縦断面図であって、作用空気室に負圧が及ぼされた状態を示す図。
【発明を実施するための形態】
【００２７】
以下、本発明の実施形態について、図面を参照しつつ説明する。
【００２８】
図１には、本発明に従う構造とされた流体封入式防振装置の一実施形態として、自動車用のエンジンマウント１０が示されている。エンジンマウント１０は、マウント本体１２に空気圧式のアクチュエータ１４が取り付けられた構造とされており、マウント本体１２が第１の取付部材１６と第２の取付部材１８を本体ゴム弾性体２０によって弾性連結した構造を有している。なお、以下の説明において、上下方向とは、原則として、主たる振動の入力方向であり、マウント軸方向でもある、図１中の上下方向を言う。
【００２９】
より詳細には、第１の取付部材１６は、鉄やアルミニウム合金等で形成された高剛性の部材であって、上下に延びる円形ブロック形状とされており、上下方向の中間部分には外周側に突出する円環板状のフランジ部２２を一体で備えている。更に、第１の取付部材１６には、中心軸上を上下に延びて上面に開口するねじ穴２４が形成されており、ねじ穴２４に螺着される取付用のボルトによって、第１の取付部材１６が図示しないパワーユニットに取り付けられるようになっている。
【００３０】
第２の取付部材１８は、第１の取付部材１６と同様に高剛性の部材とされており、薄肉大径の略円筒形状を有している。更に、第２の取付部材１８には、軸方向中間部分に段差部２６が設けられており、段差部２６を挟んで上側が大径の固着筒部２８とされていると共に、段差部２６を挟んで下側が小径の嵌着筒部３０とされている。更にまた、嵌着筒部３０の下端部には、内周側に突出する内フランジ状の係止爪３１が形成されている。この第２の取付部材１８は、例えば、外嵌装着される図示しないアウタブラケットを介して、図示しない車両ボデーに取り付けられるようになっている。
【００３１】
そして、第１の取付部材１６が第２の取付部材１８の上方に略同一中心軸上で配置されて、それら第１の取付部材１６と第２の取付部材１８が本体ゴム弾性体２０によって弾性連結されている。本体ゴム弾性体２０は、厚肉の略円錐台形状を有しており、小径側の端部が第１の取付部材１６に加硫接着されていると共に、大径側の端部が第２の取付部材１８の固着筒部２８および段差部２６に加硫接着されている。なお、本体ゴム弾性体２０は、第１の取付部材１６と第２の取付部材１８を備えた一体加硫成形品として形成されている。
【００３２】
さらに、本体ゴム弾性体２０には、大径側の端面に開口する大径凹所３２が形成されている。大径凹所３２は、開口側に向かって次第に拡開する逆向きの略すり鉢形状を呈する凹所であって、本体ゴム弾性体２０の径方向中央部分に形成されている。更にまた、本体ゴム弾性体２０の大径凹所３２よりも外周側には、薄肉大径の略円筒形状を有するシールゴム層３４が一体形成されており、下方に延び出して第２の取付部材１８の嵌着筒部３０の内周面を被覆している。
【００３３】
また、本体ゴム弾性体２０の一体加硫成形品には、仕切部材３６が取り付けられている。仕切部材３６は、図１〜図３に示されているように、合成樹脂や金属等で形成された硬質の部材であって、厚肉の略円板形状を呈しており、本実施形態では仕切部材本体３８と蓋板部材４０とによって構成されている。
【００３４】
仕切部材本体３８は、図４，図５に示されているように、厚肉の略円板形状とされている。また、仕切部材本体３８の外周部分には、上面に開口する第１の凹溝４２が形成されており、外周部分を周方向に延びていると共に、その周方向一方の端部が内周側に折り返して形成されることで、溝長さを大きく確保されている。更に、仕切部材本体３８の径方向中央部分には、上下に貫通する円形の中央孔４４が形成されていると共に、上面に開口する第２の凹溝４６と第３の凹溝４８が形成されて、それら凹溝４６，４８の一端が何れも中央孔４４に接続されている。更にまた、第２の凹溝４６と第３の凹溝４８の他端は、周方向で相互に所定距離を隔てて同一周上に配置されており、第２の凹溝４６の他端部分には上下に貫通する連通孔５０が形成されている。なお、本実施形態では、図５に示されているように、第２の凹溝４６は、第３の凹溝４８よりも深さ寸法が小さくされている。また、仕切部材本体３８の外周部分には、下方に開口して周方向環状に延びる肉抜凹溝５２が形成されている。
【００３５】
さらに、仕切部材本体３８には、外周面に開口して周方向環状に延びる上係止溝５４と下係止溝５６が上下に所定の距離を隔てて形成されている。
【００３６】
蓋板部材４０は、図１，図２に示されているように、薄肉の略円板形状を有しており、仕切部材本体３８の上面に重ね合わされることで、第１〜第３の凹溝４２，４６，４８と中央孔４４の各上側開口部を覆蓋するようになっている。更に、蓋板部材４０には、第１の凹溝４２の折り返された他端において開口する第１の連通口５８と、第２の凹溝４６の他端において開口する第２の連通口６０と、第３の凹溝４８の他端において開口する第３の連通口６２とが、それぞれ厚さ方向（上下方向）に貫通して形成されている。
【００３７】
そして、仕切部材本体３８の上面に蓋板部材４０を重ね合わせて構成された仕切部材３６は、図１に示されているように、第２の取付部材１８の下端に形成された係止爪３１が仕切部材本体３８の上係止溝５４に挿入係止されることで、第２の取付部材１８に取り付けられている。なお、第２の取付部材１８が仕切部材３６に外挿された状態で、第２の取付部材１８に対して八方絞り等の縮径加工が施されることにより、係止爪３１が上係止溝５４に挿入されると共に、第２の取付部材１８の嵌着筒部３０がシールゴム層３４を介して仕切部材３６の上部外周面に密着されている。これにより、仕切部材３６が第２の取付部材１８に対して軸方向および軸直角方向に位置決めされていると共に、第２の取付部材１８と仕切部材３６の重ね合わせ面間がシールゴム層３４によって流体密に封止されている。
【００３８】
また、第２の取付部材１８によって支持された仕切部材３６には、可撓性膜６４が取り付けられている。可撓性膜６４は、薄肉大径の略円板形状とされたゴム膜であって、その外周部分が充分な弛みを有しており、縦断面において上下に波打つ形状とされている。更に、可撓性膜６４は、径方向中央部分が略円板形状とされており、その中央部分が薄肉で厚さ方向の変形を容易に許容される変形許容部６６とされていると共に、その外周部分が変形許容部６６に比して厚肉で耐久性と形状安定性に優れた閉塞保持部６８とされている。なお、閉塞保持部６８は、弛みをもった可撓性膜６４の外周部分よりも厚肉とされている。
【００３９】
さらに、可撓性膜６４の外周端部には、環状で上端部において内周側に突出する爪部７０を備えた固定部材７２が加硫接着されており、爪部７０が仕切部材本体３８の下係止溝５６に挿入係止されることで、可撓性膜６４が仕切部材３６に取り付けられている。なお、可撓性膜６４の外周端部が固定部材７２と仕切部材本体３８との間で径方向に圧縮されることにより、固定部材７２と仕切部材本体３８の間が流体密に封止されている。また、固定部材７２の仕切部材本体３８への取付方法は、第２の取付部材１８の仕切部材本体３８への取付方法と同様であり、例えば、第２の取付部材１８と固定部材７２を同時に縮径することで、本体ゴム弾性体２０の一体加硫成形品と可撓性膜６４とを仕切部材３６に対して同時に取り付けることができる。
【００４０】
そして、本体ゴム弾性体２０の大径凹所３２の開口部が仕切部材３６で覆蓋されることにより、仕切部材３６の上方には、壁部の一部が本体ゴム弾性体２０で構成されて、振動入力時に内圧変動が惹起される受圧室７４が形成されている。一方、仕切部材３６の下方が可撓性膜６４で覆われることにより、仕切部材３６の下方には、壁部の一部が可撓性膜６４で構成されて、容積変化が容易に許容される平衡室７６が形成されている。
【００４１】
さらに、受圧室７４および平衡室７６には、それぞれ非圧縮性流体が封入されている。受圧室７４および平衡室７６に封入される非圧縮性流体は、特に限定されるものではないが、例えば、水やアルキレングリコール、ポリアルキレングリコール、シリコーン油、或いはそれらの混合液等が好適に採用され得る。更に、後述する流体の流動作用に基づいた防振効果を有効に得るためには、０．１Ｐａ・ｓ以下の低粘性流体を用いることが望ましい。なお、受圧室７４および平衡室７６への非圧縮性流体の封入は、例えば、仕切部材３６に対する本体ゴム弾性体２０の一体加硫成形品および可撓性膜６４の組付け作業を、非圧縮性流体で満たされた水槽中で行うことにより、有利に実現され得る。
【００４２】
また、第１の凹溝４２の開口部が蓋板部材４０で覆蓋されてトンネル状の流路が形成されており、その一端が第１の連通口５８を通じて受圧室７４に連通されていると共に、他端が仕切部材本体３８に貫通形成された下連通口７８を通じて平衡室７６に連通されている。これにより、受圧室７４と平衡室７６を相互に連通する第１のオリフィス通路８０が、仕切部材３６の外周部分に対して、第１の凹溝４２を利用して形成されている。なお、第１のオリフィス通路８０は、受圧室７４および平衡室７６の壁ばね剛性を考慮しながら、通路断面積（Ａ）と通路長（Ｌ）の比（Ａ／Ｌ）を調節することで、流動流体の共振周波数（チューニング周波数）がエンジンシェイクに相当する１０Ｈｚ程度の低周波数に設定されている。
【００４３】
さらに、中央孔４４の一方の端部が第２，第３の凹溝４６，４８および第２，第３の連通口６０，６２を通じて受圧室７４に連通されていると共に、中央孔４４の他方の開口部が平衡室７６に連通されている。これにより、受圧室７４と平衡室７６を相互に連通する第２のオリフィス通路８２が、仕切部材３６の中央部分に対して、中央孔４４および第２，第３の凹溝４６，４８を利用して形成されている。なお、第２のオリフィス通路８２は、流動流体の共振周波数（チューニング周波数）が、第１のオリフィス通路８０よりも高周波数に設定されており、本実施形態では、走行こもり音に相当する１００Ｈｚ程度の高周波数に設定されている。
【００４４】
更にまた、連通孔５０の一方の端部が第２の凹溝４６および第２の連通口６０を通じて受圧室７４に連通されていると共に、連通孔５０の他方の開口部が平衡室７６に連通されている。これにより、受圧室７４と平衡室７６を相互に連通する第３のオリフィス通路８４が連通孔５０と第２の凹溝４６および第２の連通口６０を利用して形成されている。なお、第３のオリフィス通路８４は、流動流体の共振周波数（チューニング周波数）が、第１のオリフィス通路８０のチューニング周波数よりも高周波数で且つ第２のオリフィス通路８２のチューニング周波数よりも低周波数となる中周波数に設定されている。また、本実施形態において、第３のオリフィス通路８４のチューニング周波数は、後述するアイドリング振動の周波数よりも低周波数に設定されている。
【００４５】
このような構造とされたマウント本体１２の下方には、アクチュエータ１４が配設されている。アクチュエータ１４は、空気圧式のアクチュエータであって、図６，図７に示されているように、ハウジング８６に対して出力部８８が取り付けられた構造を有している。
【００４６】
ハウジング８６は、全体として有底円筒形状とされており、略円筒形状の連結筒壁部９０と、連結筒壁部９０の下側開口部を閉塞する底壁プレート９２とを備えている。なお、底壁プレート９２の径方向中央部分には、ポート９４が設けられている。
【００４７】
出力部８８は、逆向きの略有底円筒形状を有するゴム弾性体で形成されており、その上底壁部には補強部材９６が埋設状態で固着されている。補強部材９６は、浅底の略有底円筒形状を有していると共に、その開口端部（上端部）が外周側に屈曲されて当接フランジ９８が一体形成されている。
【００４８】
さらに、出力部８８の径方向中央部分には、補強部材９６の形状を利用して上方に開口する略円形の中央凹所１００が形成されている。本実施形態では、中央凹所１００の外周内面に開口する４条の凹溝が形成されており、凹溝が形成された周上の４カ所で中央凹所１００が部分的に拡径されている。更にまた、中央凹所１００の径方向中央部分には、ゴム弾性体で形成されたストッパ突部１０２が、底部から上方に向かって突設されている。更に、中央凹所１００の周壁部には、軸直角方向一方向（図６中、左右方向）で直線的に延びる一組の空気流路１０４，１０４が貫通形成されており、補強部材９６の周壁部を径方向に貫通している。なお、空気流路１０４の形成数は特に限定されるものではないが、複数の空気流路１０４を設けることで、空気流路１０４の外周開口部が可撓性膜６４で覆われること等による、中央凹所１００の密閉が生じ難くなる。
【００４９】
更にまた、本実施形態の出力部８８は、図６に示されているように、周上で外径寸法が変化しており、図６中の左半周が大径の厚肉弁部１０６とされていると共に、図６中の右半周が小径の薄肉拘束部１０８とされている。特に本実施形態の出力部８８では、下端部が全周に亘って略一定の外径および肉厚とされており、外周面の軸方向に対する傾斜角度が周上で異なっていることにより、上端部分において外径寸法が周上で変化している。そして、一組の空気流路１０４，１０４の一方が厚肉弁部１０６を貫通して形成されていると共に、他方が薄肉拘束部１０８を貫通して形成されている。
【００５０】
このような構造とされた出力部８８は、ハウジング８６の底壁プレート９２に対して上方に所定の距離を隔てて対向配置されており、連結ゴム弾性体１１０によってハウジング８６と弾性連結されている。連結ゴム弾性体１１０は、略円板形状のゴム弾性体であって、出力部８８の下端部から外周側に突出するように一体形成されている。また、連結ゴム弾性体１１０の外周端部には固定リング１１２が固着されており、固定リング１１２がハウジング８６の連結筒壁部９０に挿入されて、連結筒壁部９０が縮径されることで、連結ゴム弾性体１１０の外周端部がハウジング８６の下端部に固定されている。これにより、出力部８８とハウジング８６が連結ゴム弾性体１１０で相互に弾性連結されている。
【００５１】
また、出力部８８のハウジング８６への組付けによって、出力部８８とハウジング８６の底壁プレート９２との間には、外部から密閉された作用空気室１１４が形成されている。この作用空気室１１４は、底壁プレート９２に設けられたポート９４を通じて大気中と負圧源１１６の何れかに選択的に接続されており、制御装置１１８によって切替弁１２０が制御されることで、大気圧と負圧の何れかが及ぼされて、空気圧が変更設定可能とされている。
【００５２】
さらに、補強部材９６が固着された出力部８８の上底壁部と底壁プレート９２との軸方向対向面間には、コイルスプリング１２２が圧縮状態で介装されており、出力部８８が、コイルスプリング１２２の弾性によって、上向きに付勢されている。
【００５３】
かくの如き構造とされたアクチュエータ１４は、図１に示されているように、マウント本体１２の下方に配置されており、連結筒壁部９０の上端部が第２の取付部材１８の嵌着筒部３０に外嵌されることで、ハウジング８６が第２の取付部材１８に固定されて支持されている。
【００５４】
また、アクチュエータ１４の出力部８８が、可撓性膜６４を挟んで平衡室７６と反対側（下側）に配設されており、可撓性膜６４の中央部分に下方から当接されている。これにより、出力部８８は、仕切部材３６の径方向中央部分に形成された第２，第３のオリフィス通路８２，８４の平衡室７６側の各開口部に対して、可撓性膜６４を介して下方に対向配置されている。更に、出力部８８に設けられた中央凹所１００の開口部が、第２のオリフィス通路８２の平衡室７６側の開口部に対して下方に対向配置されていると共に、中央凹所１００の周壁部が第３のオリフィス通路８４の平衡室７６側の開口部に対して下方に対向配置されている。
【００５５】
そして、作用空気室１１４に大気圧が作用した状態において、出力部８８がコイルスプリング１２２の弾性によって上向きに付勢されて、仕切部材３６の下面に可撓性膜６４を介して当接されている。これにより、作用空気室１１４に大気圧が及ぼされた状態では、第２のオリフィス通路８２と第３のオリフィス通路８４の平衡室７６側の開口部が、可撓性膜６４で覆われて閉塞されている。
【００５６】
本実施形態では、可撓性膜６４の変形許容部６６が第２のオリフィス通路８２の開口部上に位置していると共に、可撓性膜６４の閉塞保持部６８の一部が第３のオリフィス通路８４の開口部上に位置している。そして、可撓性膜６４が仕切部材３６の下面に押し当てられることで、中央凹所１００の開口部と第２のオリフィス通路８２の開口部が、何れも可撓性膜６４の変形許容部６６で覆われて閉塞されていると共に、第３のオリフィス通路８４の開口部が閉塞保持部６８で覆われて閉塞されている。なお、本実施形態では、可撓性膜６４の閉塞保持部６８が、コイルスプリング１２２の弾性で付勢された出力部８８によって、全周に亘って仕切部材３６の下面に押し当てられている。
【００５７】
更にまた、変形許容部６６で覆われた中央凹所１００が、空気流路１０４を通じてハウジング８６内に連通されていると共に、ハウジング８６に貫通形成されたエア抜孔１２４を通じて外部に連通されている。なお、小径とされた出力部８８の薄肉拘束部１０８において、可撓性膜６４の閉塞保持部６８が出力部８８の上端面を外周側に外れて突出しており、弛みをもった可撓性膜６４の外周部分が空気流路１０４の開口部に対して外周側に離隔していることから、空気流路１０４が安定して連通状態に保持されている。
【００５８】
このようにアクチュエータ１４の作用空気室１１４に大気圧が及ぼされた状態では、第２のオリフィス通路８２および第３のオリフィス通路８４の平衡室７６側の開口部が可撓性膜６４で覆われて閉塞されている。これにより、出力部８８が仕切部材３６に当接された遮断状態において、エンジンシェイクに相当する低周波大振幅振動が入力されると、第１のオリフィス通路８０を通じて流体の流動が効率的に惹起されて、流体の流動作用に基づいた防振効果が有効に発揮される。
【００５９】
また、可撓性膜６４の閉塞保持部６８が、出力部８８における中央凹所１００の周壁部によって、第３のオリフィス通路８４の平衡室７６側の開口部に押し当てられることで、第３のオリフィス通路８４は実質的にも遮断されており、第３のオリフィス通路８４において流体流動は生じ得ない。特に本実施形態では、補強部材９６の上端部に当接フランジ９８が設けられていると共に、出力部８８における第３のオリフィス通路８４の開口部と対向する部分が厚肉大径の厚肉弁部１０６とされており、第３のオリフィス通路８４の開口部がより確実に遮断されるようになっている。加えて、アクチュエータ１４によって第３のオリフィス通路８４の開口部に押し当てられる閉塞保持部６８は、可撓性膜６４の他の部分に比して厚肉とされており、摩擦や圧縮変形に対して充分な耐久性が確保されている。
【００６０】
一方で、出力部８８の仕切部材３６への当接状態において、変形許容部６６で覆われた第２のオリフィス通路８２は、変形許容部６６が中央凹所１００によって厚さ方向の変形を許容されることで、実質的な連通状態に保持されている。ここで言う、第２のオリフィス通路８２が実質的な連通状態に保持されるとは、第２のオリフィス通路８２において流体の流動が生じて、流体の流動作用に基づいた防振効果が発揮され得る状態である。そして、変形許容部６６で開口部を覆われた第２のオリフィス通路８２では、変形許容部６６が厚さ方向に変形することで、流体流動が生じ得る実質的な連通状態とされており、走行こもり音に相当する高周波小振幅振動に対して、流体の流動作用に基づいた防振効果が発揮されるようになっている。
【００６１】
アクチュエータ１４の作用空気室１１４に大気圧が及ぼされた状態では、閉塞保持部６８が全周に亘って出力部８８と仕切部材３６との間で挟まれて拘束されており、変形許容部６６が可撓性膜６４の外周部分とは実質的に独立している。その結果、第１のオリフィス通路８０と第２のオリフィス通路８２は、それぞれのチューニング周波数において流動流体の共振が生じて、流体の流動作用に基づいた防振効果が、互いに異なる周波数域の振動に対して、それぞれ独立して発揮される。
【００６２】
なお、閉塞保持部６８は、必ずしも全周に亘って連続的に拘束されていなくても良く、出力部８８における中央凹所１００の周壁上端部に空気抜き用の溝を形成する場合等には、周上で部分的に厚さ方向の変形が許容されていても良い。しかしながら、変形許容部６６が可撓性膜６４の外周部分とは実質的に独立させるためには、閉塞保持部６８が周上の広い領域に亘って拘束されるようになっていることが望ましい。
【００６３】
また、第２のオリフィス通路８２の平衡室７６側の開口部を覆う変形許容部６６は、薄肉の可撓性膜６４において一段と薄肉化されて変形し易くなっており、流体の流動作用に基づいた防振効果が有利に発揮されるようになっている。更に、本実施形態では、中央凹所１００が空気流路１０４およびエア抜孔１２４を通じて外部に連通されており、変形許容部６６の変形が空気ばねの作用によって制限されることなく充分に許容されるようになっている。特に本実施形態では、出力部８８が第３のオリフィス通路８４の開口部を外れた略半周に亘って小径とされており、一方の空気流路１０４の外周開口部が可撓性膜６４の外周部分に対して内周側に離隔している。これにより、空気流路１０４が連通状態で安定して保持されて、中央凹所１００における空気ばねの影響が回避されている。
【００６４】
また、第２のオリフィス通路８２の開口部が変形許容部６６で覆われていることから、エンジンシェイクに相当する低周波大振幅振動の入力に対しては、変形許容部６６の変形が追従し切れず、第２のオリフィス通路８２が実質的に遮断される。それ故、第１のオリフィス通路８０を通じての流体流動が効率的に生ぜしめられて、目的とする防振効果が有効に発揮される。更に、変形許容部６６の変形量を制限するストッパ手段が、ストッパ突部１０２への当接によって構成されており、過大な変形による変形許容部６６の損傷が回避されている。加えて、ストッパ突部１０２によって変形許容部６６の変形量を調整することで、入力振動の振幅に応じて変形許容部６６の膜剛性を変化させることができる。具体的には、大振幅振動の入力時に、ストッパ突部１０２の当接によって変形許容部６６の膜剛性を高めることで、より優れた減衰性能を発揮させることが可能になる。
【００６５】
このように、作用空気室１１４に大気圧が及ぼされた状態では、第１のオリフィス通路８０および第２のオリフィス通路８２による防振効果がそれぞれ発揮されて、自動車の走行時に問題になり易いエンジンシェイクや走行こもり音に対する防振効果を何れも有効に得ることができる。
【００６６】
一方、作用空気室１１４に負圧が及ぼされると、図８に示されているように、アクチュエータ１４の出力部８８が下方に吸引されて、コイルスプリング１２２の付勢力に抗して変位する。これにより、出力部８８が仕切部材３６から下方に離隔して、第２，第３のオリフィス通路８２，８４の平衡室７６側の各開口部分から可撓性膜６４が離隔することから、それら第２，第３のオリフィス通路８２，８４の開口部の閉塞が解除される。これにより、第１〜第３のオリフィス通路８０，８２，８４が、何れも受圧室７４と平衡室７６を繋ぐ連通状態とされて、それら第１〜第３のオリフィス通路８０，８２，８４によって、全体として１つの流体流路１２６が構成される。即ち、チューニング周波数の異なる３つのオリフィス通路８０，８２，８４が何れも連通されると、それら３つのオリフィス通路８０，８２，８４が、全体としてアイドリング振動に相当する十数Ｈｚ程度の中周波数にチューニングされた１つの流体流路１２６として機能して、流体の流動作用に基づいた防振効果がアイドリング振動に対して有効に発揮されるようになっている。
【００６７】
作用空気室１１４に対する負圧の作用時に、アイドリング振動に相当する周波数域で流体の流動作用に基づいた防振効果を得るためには、変形許容部６６のばね剛性を大きく設定して、負圧作用時に壁ばね剛性の変化によって第２のオリフィス通路８２のチューニング周波数を低周波数側に移行させることも考えられる。しかしながら、本実施形態では、第２のオリフィス通路８２よりも低周波数にチューニングされた第３のオリフィス通路８４を設けて、アクチュエータ１４によって第３のオリフィス通路８４を連通状態に切り替えることで、全体としてのチューニング周波数を調節している。
【００６８】
このように、エンジンマウント１０では、アクチュエータ１４によって連通と遮断を切り替えられる第３のオリフィス通路８４が設けられており、第３のオリフィス通路８４が、連通状態において、流体流路１２６を通じて流動する流体の共振周波数を、防振対象振動の周波数に調整する、チューニングオリフィスとして機能する。それ故、作用空気室１１４に対する大気圧の作用時と負圧の作用時とで、防振特性を容易に且つ充分に変化させることが可能であり、自動車の走行時に必要とされる防振特性と、停車時に必要とされる防振特性とが、何れも効率的に発揮される。
【００６９】
しかも、第３のオリフィス通路８４のチューニング周波数が第１のオリフィス通路８０よりも高周波数とされていることから、作用空気室１１４に負圧が作用した状態で、流体流路１２６の周波数チューニングに対して、第３のオリフィス通路８４が充分に影響を及ぼすようになっている。それ故、第１のオリフィス通路８０および第２のオリフィス通路８２のチューニング周波数を、大気圧の作用状態で要求される防振特性に応じて設定しながら、負圧の作用状態でも要求される防振性能を高度に実現することができる。
【００７０】
また、本実施形態では、アクチュエータ１４が空気圧式アクチュエータとされており、停車時に自動車に生じる負圧を負圧源１１６として利用することで、アイドリング振動が問題になる停車時に、出力部８８が負圧によって吸引されて流体流路１２６が形成されるようになっている。それ故、出力部８８に駆動力を及ぼすための特別な出力源を要することなく、簡単な構造で防振特性の切替えを実現することができる。
【００７１】
以上、本発明の実施形態について詳述してきたが、本発明はその具体的な記載によって限定されない。例えば、第１〜第３のオリフィス通路の具体的な流路形状は、要求される防振特性等に応じて定まるものであって、限定されるものではない。
【００７２】
また、前記実施形態では、第２のオリフィス通路８２と第３のオリフィス通路８４が、受圧室７４側の端部において流路の一部を共有する構造とされているが、第２のオリフィス通路と第３のオリフィス通路を完全に独立した流路で設けることもできる。
【００７３】
また、可撓性膜において、変形許容部６６と閉塞保持部６８は必須ではなく、何れか一方のみが設けられていても良いし、可撓性膜の全体が略一定の厚さで形成されていても良い。更に、可撓性膜における第２のオリフィス通路８２の開口部を覆う部分が他の部分よりも厚肉とされていても良く、この場合には、壁ばね剛性の変化によって第２のオリフィス通路８２のチューニング周波数が変化することも期待できる。
【００７４】
また、ストッパ突部は必須ではなく、例えば中央凹所が浅底であれば、中央凹所の底壁内面への当接によって可撓性膜の変形量を制限するストッパ手段を構成することもできる。
【００７５】
また、第２の取付部材に対する仕切部材や可撓性膜、アクチュエータの取付構造は、前記実施形態の具体的な例示によって限定されるものではなく、例えば、特開２００８−１２１８１１号公報に示された構造等も採用され得る。
【００７６】
また、アクチュエータは、空気圧式のものに限定されず、電気モータの発生駆動力を用いた電気式のアクチュエータや、電磁力を用いた電磁式のアクチュエータ等であっても良い。
【００７７】
本発明の適用範囲は、エンジンマウントとして用いられる流体封入式防振装置に限定されず、例えばボデーマウントやサブフレームマウント、デフマウント等として用いられる流体封入式防振装置にも好適に適用され得る。更に、本発明は、自動車用の流体封入式防振装置にのみ適用されるものではなく、自動二輪車や鉄道用車両、産業用車両等に用いられる流体封入式防振装置にも適用可能である。
【符号の説明】
【００７８】
１０：エンジンマウント（流体封入式防振装置）、１４：アクチュエータ、１６：第１の取付部材、１８：第２の取付部材、２０：本体ゴム弾性体、３６：仕切部材、６４：可撓性膜、６６：変形許容部、６８：閉塞保持部、７４：受圧室、７６：平衡室、８０：第１のオリフィス通路、８２：第２のオリフィス通路、８４：第３のオリフィス通路、８８：出力部、１００：中央凹所、１０４：空気流路、１１４：作用空気室、１２６：流体流路
【図１】
2014085004.tif 000003
【図２】
2014085004.tif 000004
【図３】
2014085004.tif 000005
【図４】
2014085004.tif 000006
【図５】
2014085004.tif 000007
【図６】
2014085004.tif 000008
【図７】
2014085004.tif 000009
【図８】
2014085004.tif 000010